(57)【特許請求の範囲】
【請求項１】
複数の受信アンテナを有するユーザ機器（ＵＥ）によってサポートされる複数の受信ダイバーシティ（Ｒ×Ｄ）探索モードの中から１つのＲ×Ｄ探索モードを選択することと、なお、各Ｒ×Ｄ探索モードは、前記複数の受信アンテナについての相関、前記複数の受信アンテナについての相関結果の結合、前記複数の受信アンテナについての探索結果の報告のうちの少なくとも１つにおいて、残りのＲ×Ｄ探索モードの各々とは異なり、
前記選択されたＲ×Ｄ探索モードに従って少なくとも１つの探索ステップを実行することと、
前記ＵＥによってサポートされる前記複数のＲ×Ｄ探索モードの中から第２の受信ダイバーシティ（Ｒ×Ｄ）探索モードを選択することと、
前記選択された第２のＲ×Ｄ探索モードに従って、少なくとも１つの別の探索ステップを実行することと、
を備え、
前記複数のＲ×Ｄ探索モードは、相関が、各受信アンテナに対して別々に実行され、相関結果が、各受信アンテナに対して別々に結合され、探索結果が各受信アンテナに対して別々に報告されるＲ×Ｄ探索モードを含む、無線通信のための方法。
【請求項２】
前記探索は、少なくとも１つのセルを検出し、各検出されたセルのスロットタイミングを決定するためのセル検出ステップを備え、前記少なくとも１つの探索ステップを実行することは、前記選択されたＲ×Ｄ探索モードに従って前記セル検出ステップを実行することを備える、請求項１に記載の方法。
【請求項３】
前記選択されたＲ×Ｄ探索モードに従ってセル検出ステップを実行することは、
各受信アンテナの入力サンプルを、プライマリ同期化コード（ＰＳＣ）と相関させ、前記受信アンテナについての相関結果を獲得することと、
前記複数の受信アンテナについての相関結果を結合し、結合相関結果を獲得することと、
前記結合された相関結果に基づいて探索結果を決定することと、
を備える、請求項２に記載の方法。
【請求項４】
前記探索は、検出されたセルによって使用されるスクランブリングコードを決定するためのコード検出ステップを備え、前記少なくとも１つの探索ステップを実行することは、前記選択されたＲ×Ｄ探索モードに従って前記コード検出ステップを実行することを備える、請求項１に記載の方法。
【請求項５】
前記選択されたＲ×Ｄ探索モードに従ってコード検出を実行することは、
各受信アンテナの入力サンプルを、複数の可能性のあるスクランブリングコードの各々と相関させ、前記受信アンテナの前記複数の可能性のあるスクランブリングコードについての複数の相関結果を獲得することと、
各スクランブリングコードに対する前記複数の受信アンテナについての相関結果を結合して、前記スクランブリングコードについての結合相関結果を獲得することと、
前記複数のスクランブリングコードについての複数の結合相関結果に基づいて探索結果を決定することと、
を備える、請求項４に記載の方法。
【請求項６】
前記選択されたＲ×Ｄ探索モードに従ってコード検出を実行することは、
複数のフレームタイミング仮説の各々に対する各受信アンテナの入力サンプルを相関させ、前記受信アンテナについての複数のフレームタイミング仮説に対する複数の相関結果を獲得することと、
各フレームタイミング仮説に対する前記複数の受信アンテナについての相関結果を結合して、前記フレームタイミング仮説に対する、結合相関結果を獲得することと、
複数のフレームタイミング仮説に対する複数の結合相関結果に基づいて探索結果を決定することと、
を備える、請求項４に記載の方法。
【請求項７】
前記選択されたＲ×Ｄ探索モードに従ってコード検出ステップを実行することは、
各受信アンテナの入力サンプルを、複数の可能性のあるスクランブリングコードの各々と相関させ、前記受信アンテナの前記複数の可能性のあるスクランブリングコードに対する複数の相関結果を獲得することと、
各スクランブリングコードに対する前記複数の受信アンテナについての相関結果を結合して、前記スクランブリングコードに対する、結合相関結果を獲得することと、
複数のフレームタイミング仮説の各々に対して前記相関および前記結合を繰り返すこと、
前記複数のフレームタイミング仮説の各々の複数のスクランブリングコードに対する複数の結合相関結果に基づいて探索結果を決定することと、
を備える、請求項４に記載の方法。
【請求項８】
前記探索は、検出されたセルの各受信アンテナについてのチャネルプロフィールを決定するためのチャネル推定ステップを備え、前記少なくとも１つの探索ステップを実行することは、前記選択されたＲ×Ｄ探索モードに従って前記チャネル推定ステップを実行することを備える、請求項１に記載の方法。
【請求項９】
前記選択されたＲ×Ｄ探索モードに従ってチャネル推定ステップを実行することは、
複数の時間オフセットで、各受信アンテナの入力サンプルを、前記検出されたセルのスクランブリングコードと相関させ、前記受信アンテナについての、複数の時間オフセットに対する複数の相関結果を獲得することと、
各時間オフセットおよび各受信アンテナに対して異なる時間インターバルで獲得された相関結果を結合することと、
前記受信アンテナについての前記複数の時間オフセットに対する複数の結合相関結果に基づいて、各受信アンテナについての探索結果を決定することと、
を備える、請求項８に記載の方法。
【請求項１０】
複数の受信アンテナを有するユーザ機器（ＵＥ）によってサポートされる複数の受信ダイバーシティ（Ｒ×Ｄ）探索モードの中から１つのＲ×Ｄ探索モードを選択するための手段と、なお、各Ｒ×Ｄ探索モードは、前記複数の受信アンテナについての相関、前記複数の受信アンテナについての相関結果の結合、前記複数の受信アンテナについての探索結果の報告のうちの少なくとも１つにおいて残りのＲ×Ｄ探索モードの各々とは異なり、
前記選択されたＲ×Ｄ探索モードに従って少なくとも１つの探索ステップを実行するための手段と、
前記ＵＥによってサポートされる前記複数のＲ×Ｄ探索モードの中から第２の受信ダイバーシティ（Ｒ×Ｄ）探索モードを選択するための手段と、
前記選択された第２のＲ×Ｄ探索モードに従って、少なくとも１つの別の探索ステップを実行するための手段と、
を備え、
前記複数のＲ×Ｄ探索モードは、相関が各受信アンテナに対して別々に実行され、相関結果が、各受信アンテナに対して別々に結合され、且つ、探索結果が各受信アンテナに対して別々に報告されるＲ×Ｄ探索モードを含む、無線通信のための装置。
【請求項１１】
複数の受信アンテナを有するユーザ機器（ＵＥ）によってサポートされる複数の受信ダイバーシティ（Ｒ×Ｄ）探索モードの中から１つのＲ×Ｄ探索モードを選択し、なお、各Ｒ×Ｄ探索モードは、前記複数の受信アンテナについての相関、前記複数の受信アンテナについての相関結果の結合、前記複数の受信アンテナについての探索結果の報告のうちの少なくとも１つにおいて、残りのＲ×Ｄ探索モードの各々とは異なり、前記選択されたＲ×Ｄ探索モードに従って少なくとも１つの探索ステップを実行し、前記ＵＥによってサポートされる前記複数のＲ×Ｄ探索モードの中から第２の受信ダイバーシティ（Ｒ×Ｄ）探索モードを選択し、前記選択された第２のＲ×Ｄ探索モードに従って、少なくとも１つの別の探索ステップを実行するように構成された少なくとも１つのプロセッサ
を備え、
前記複数のＲ×Ｄ探索モードは、相関が各受信アンテナに対して別々に実行され、相関結果が、各受信アンテナに対して別々に結合され、探索結果が各受信アンテナに対して別々に報告されるＲ×Ｄ探索モードを含む、無線通信のための装置。
【請求項１２】
コンピュータによって実行されると、前記コンピュータに無線通信のための動作を実行させるコード備えるコンピュータ可読記憶媒体であって、
前記コンピュータに、複数の受信アンテナを有するユーザ機器（ＵＥ）によってサポートされる複数の受信ダイバーシティ（Ｒ×Ｄ）探索モードの中から１つのＲ×Ｄ探索モードを選択させるためのコードと、なお、各Ｒ×Ｄ探索モードは、前記複数の受信アンテナについての相関、前記複数の受信アンテナについての相関結果の結合、前記複数の受信アンテナについての探索結果の報告のうちの少なくとも１つにおいて残りのＲ×Ｄ探索モードの各々とは異なり、
前記コンピュータに、前記選択されたＲ×Ｄ探索モードに従って少なくとも１つの探索ステップを実行させるためのコードと、
前記コンピュータに、前記ＵＥによってサポートされる前記複数のＲ×Ｄ探索モードの中から第２の受信ダイバーシティ（Ｒ×Ｄ）探索モードを選択させるためのコードと、
前記コンピュータに、前記選択された第２のＲ×Ｄ探索モードに従って、少なくとも１つの別の探索ステップを実行させるためのコードと、
を備え、
前記複数のＲ×Ｄ探索モードは、相関が各受信アンテナに対して別々に実行され、相関結果が、各受信アンテナに対して別々に結合され、探索結果が各受信アンテナに対して別々に報告されるＲ×Ｄ探索モードを含む、コンピュータ可読記憶媒体。
【発明の詳細な説明】
【技術分野】
【０００１】
[米国特許法第１１９条に基づく優先権の主張]
本出願は、本出願の譲受人に譲渡され、参照により明白に本明細書に組み込まれる、２００９年５月２９日に出願された「METHOD AND APPARATUS FOR PERFORMING SEARCHES WITH MULTIPLE RECEIVE DIVERSITY (RXD) SEARCH MODES」と題する米国仮出願６１／１８２５４４号の優先権を主張する。
【０００２】
本開示は一般に、通信に関し、さらに詳細には、無線通信システムにおいてセルを探索するための技術に関する。
【背景技術】
【０００３】
無線通信システムは、音声、ビデオ、パケットデータ、メッセージング、ブロードキャストのような様々な通信サービスを提供するために広く展開される。これらの無線システムは、利用可能なシステムリソースを共有することによって、複数のユーザをサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および、単一キャリアＦＤＭＡ（ＳＣ−ＦＤＭＡ）システムを含む。
【０００４】
無線通信システムは、多数のユーザ機器（ＵＥ）に対して通信をサポートすることができる多数のセルを含みうる。ＵＥは、任意の所与の時間に、１または複数のセルのカバレッジ内に存在しうる。ＵＥが起動されたばかりか、あるいは、カバレッジを失うと、ＵＥは、その範囲内にあるセルがどれであるかを知ることができない。ＵＥは、セルを検出するため、且つ、その検出されたセルについてのタイミングまたは別の情報を獲得するために探索を実行しうる。例えば、できる限り多くのセルを検出するなど、良いパフォーマンスを獲得する方法で探索を実行することが望まれうる。
【発明の概要】
【０００５】
複数の受信アンテナを備えるＵＥによって探索を実行するための技術が、本明細書に記述される。ある態様において、複数の受信ダイバーシティ（Ｒ×Ｄ）探索モードは、ＵＥによってサポートされうる。各Ｒ×Ｄ探索モードは、（ｉ）相関が、複数の受信アンテナに対してどのように実行されるか、（ｉｉ）複数の受信アンテナについての相関結果がどのように結合されるか、（ｉｉｉ）その複数の受信アンテナについての探索結果が、どのように報告されるか、あるいは、（ｉｖ）それらの組み合わせにおいて、残りのＲ×Ｄ探索モードの各々とは異なりうる。１つの設計において、ＵＥは、ＵＥによってサポートされる複数のＲ×Ｄ探索モードの中から１つのＲ×Ｄ探索モードを選択しうる。次に、ＵＥは、その選択されたＲ×Ｄ探索モードに従って、少なくとも１つの探索ステップを実行しうる。別の設計において、ＵＥは、第１のＲ×Ｄ探索モードに従って第１の探索ステップを実行し、第２のＲ×Ｄ探索モードに従って第２の探索ステップを実行しうる。
【０００６】
別の態様において、ＵＥは、干渉セル（interfering cell）からの信号をキャンセルするために、干渉キャンセレーションと共に探索を実行しうる。１つの設計において、ＵＥは、干渉セルからの信号が減衰されうるように、複数の受信アンテナに対して複数の複素重み（complex weight）を決定しうる。次に、ＵＥは、複数の受信アンテナに適用される複数の複素重みを用いて、少なくとも１つのセルを検出するために探索を実行しうる。例えば、ＵＥは、各受信アンテナの入力サンプルを、セルのスクランブリングコードと相関させうる。ＵＥは、各受信アンテナについての相関結果を、その受信アンテナの複素重みと掛け合わせうる。次に、ＵＥは、全ての受信アンテナについての重み付けされた相関結果を結合して、結合相関結果を獲得しうる。ＵＥは、その結合相関結果に基づいてセルを検出することができる。
【０００７】
本開示の様々な態様および特徴が、さらに詳細に下に記述される。
【図面の簡単な説明】
【０００８】
【図１】図１は、無線通信システムを示す。
【図２Ａ】図２Ａは、例示的なフレーム構造を示す。
【図２Ｂ】図２Ｂは、同期チャネルおよびパイロットチャネルの例示的な伝送を示す。
【図３】図３は、ノードＢおよびＵＥのブロック図を示す。
【図４】図４は、あるＲ×Ｄ探索モード用の探索プロセッサを示す。
【図５】図５は、別のＲ×Ｄ探索モード用の探索プロセッサを示す。
【図６】図６は、さらに別のＲ×Ｄ探索モード用の探索プロセッサを示す。
【図７】図７は、ＵＥによる探索を実行するためのプロセスを示す。
【図８】図８は、ＵＥによる探索を実行するためのプロセスを示す。
【図９】図９は、干渉キャンセレーションと共に探索を実行するためのプロセスを示す。
【詳細な説明】
【０００９】
本明細書に記述される探索技術は、ＣＤＭＡ、ＴＤＭＡ、ＦＤＭＡ、ＯＦＤＭＡ、ＳＣ−ＦＤＭＡ、および別のシステムのような様々な無線通信システムに使用されうる。「システム」および「ネットワーク」という用語は、交換可能に使用されることが多い。ＣＤＭＡシステムは、ユニバーサル地上無線アクセス（ＵＴＲＡ）、ｃｄｍａ２０００のような無線テクノロジを実施しうる。ＵＴＲＡは、広域ＣＤＭＡ（ＷＣＤＭＡ）、および、ＣＤＭＡの他の変形を含む。ｃｄｍａ２０００は、ＩＳ−２０００、ＩＳ−９５、ＩＳ−８５６標準をカバーする。ＴＤＭＡシステムは、ＧＳＭ（登録商標）（Global System for Mobile Communications）のような無線テクノロジを実施しうる。ＯＦＤＭＡシステムは、次世代ＵＴＲＡ（Ｅ−ＵＴＲＡ）、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭ（登録商標）のような無線テクノロジを実施しうる。ＵＴＲＡおよびＥ−ＵＴＲＡは、ＵＭＴＳ（Universal Mobile Telecommunication System）の一部である。３ＧＰＰロングタームエボリューション（ＬＴＥ）およびＬＴＥアドバンス（ＬＴＥ−Ａ）は、Ｅ−ＵＴＲＡを使用するＵＭＴＳの新リリースである。ＵＴＲＡ、Ｅ−ＵＴＲＡ、ＵＭＴＳ、ＬＴＥ、ＬＥＴ−Ａ、ＧＳＭは、「第３世代パートナーシッププロジェクト（３ＧＰＰ）」という名称の団体からの文書に記述されている。ｃｄｍａ２０００およびＵＭＢは、「第３世代パートナーシッププロジェクト２（３ＧＰＰ２）」という名称の団体からの文書に記述されている。本明細書に記述される探索技術は、上述されたシステムおよび無線テクノロジ、並びに、別のシステムおよび無線テクノロジに対して使用されうる。明確さのために、探索技術のある態様が、ＷＣＤＭＡに関して下に記述され、下記の記述の大半において３ＧＰＰ用語が使用される。
【００１０】
図１は、複数のノードＢ １１０を有する無線通信システム１００を示す。ノードＢは、ＵＥと通信する局であり、基地局、発展型ノードＢ（ｅＮｏｄｅ Ｂ）、アクセスポイントなどとも呼ばれうる。各ノードＢ １１０は、通信カバレッジを特定の地理的エリアに提供する。「セル（cell）」という用語は、その用語が使用されるコンテキストに依存して、ノードＢのカバレッジエリア、および／または、このカバレッジエリアにサービスを提供するノードＢサブシステムを指す。ノードＢは、１または複数（例えば、３つ）のセルにサービスを提供することができる。
【００１１】
ＵＥ １２０は、システム全体に分散されることができ、各ＵＥは、固定またはモバイルでありうる。ＵＥは、モバイル局、モバイル機器、端末、アクセス端末、加入者ユニット、局などとも呼ばれうる。ＵＥは、セルラ電話、携帯情報端末（ＰＤＡ）、無線通信デバイス、ハンドヘルドデバイス、無線モデムなどでありうる。ＵＥは、ダウンリンクおよびアップリンクを介してノードＢと通信することができる。ダウンリンク（または、順方向リンク）は、ノードＢからＵＥへの通信リンクを指し、アップリンク（または、逆方向リンク）は、ＵＥからノードＢへの通信リンクを指す。図１において、両矢印の実線は、ノードＢとＵＥとの間の通信を指す。片矢印の破線は、ノードＢからダウンリンク信号を受信するＵＥを指す。ＵＥは、ノードＢによって送信されるダウンリンク信号に基づいて探索を実行することができる。
【００１２】
システムコントローラ１３０は、ノードＢ １１０に結合され、これらのノードＢに対して協調と制御を提供しうる。システムコントローラ１３０は、単一のネットワークエンティティ、または、複数のネットワークエンティティの集合でありうる。
【００１３】
ＵＥは、ＵＥが起動した時、ＵＥがカバレッジを失った時、ＵＥがアイドルの時、あるいは、ＵＥがアクティブ通信状態の時に、探索を実行してセルを検出しうる。ＵＥは、システム内の各セルによって送信される既知の信号に基づいて探索を実行することができる。異なるシステムは、ＵＥによる探索を助けるために、異なる同期信号／チャネルおよびパイロット信号／チャネルを利用しうる。明確さのために、ＷＣＤＭＡにおいて探索に使用される同期信号／チャネルおよびパイロット信号／チャネルが次に記述されうる。
【００１４】
図２Ａは、ＷＣＤＭＡにおけるフレーム構造を示す。ダウンリンク上の伝送タイムラインは、無線フレームの単位に分割される。各無線フレームは、１０ミリ秒（ｍｓ）の持続時間を有し、３８，４００チップをカバーする。各無線フレームは、さらに、０〜１４のインデックスを有する１５個のスロットに分割されうる。各スロットは、約０.６７ｍｓの持続時間を有し、２５６０チップをカバーする。
【００１５】
図２Ｂは、ＷＣＤＭＡにおいて、１つのセルによるダウンリンク上の同期チャネル（ＳＣＨ）および共通パイロットチャネル（ＣＰＩＣＨ）の伝送を示す。ＳＣＨは、２５６０チップである各スロットの最初の２５６チップで送信されるプライマリＳＣＨおよびセカンダリＳＣＨを含む。プライマリＳＣＨは、２５６チップのプライマリ同期コード（ＰＳＣ）を、各スロットの最初の２５６チップで搬送する。ＰＳＣは、２５６チップからなる予め定められたシーケンスである。システム内の全てのセルは、同じＰＳＣを使用する。
【００１６】
セカンダリＳＣＨは、ＳＳＣパターンとも呼ばれる１５個のセカンダリ同期コード（ＳＳＣ）からなるシーケンスを、各無線フレームの１５個のスロットで搬送する。ＳＳＣパターンは、図２Ｂにおいて、
【数１】
0005442856.tif 000002
【００１７】
と表される。ここで、ｉは、スクランブリングコードグループのインデックスである。各ＳＳＣは、２５６チップからなる予め定められたシーケンスであり、１６個の利用可能な２５６チップのコードのセットから選択される。
【００１８】
ＷＣＤＭＡでは、６４個の異なるＳＳＣパターンと関連付けられた６４個のスクランブリングコードグループが存在する。各スクランブリングコードグループは、８個のスクランブリングコードを含み、異なるＳＳＣパターンと関連付けられる。システム内の各セルは、ダウンリンク上で、そのセルによって送信されるデータをスクランブルするために使用される特定のスクランブリングコードが割り当てられる。このように、各セルは、その割り当てられたスクランブリングコードによって決定された特定のＳＳＣパターンと関連付けられる。各セルは、そのＳＳＣパターンを、各無線フレームのセカンダリＳＣＨで送信する。各セルは、さらに、そのセルに割り当てられたスクランブリングコードを使用して、連続パイロットをＣＰＩＣＨで送信する。ＣＰＩＣＨは、スクランブリングコードでスクランブルされた変調シンボルからなる予め定められたシーケンスを搬送する。
【００１９】
ＰＳＣ、ＳＳＣ、ＳＣＨ、ＣＰＩＣＨは、公表された「Physical Channels and Mapping of Transport Channels onto Physical Channels （ＦＤＤ）」と題する文書３ＧＰＰ ＴＳ ２５．２１１に記述されている。
【００２０】
図３は、図１のノードＢの１つおよびＵＥの１つでありうるノードＢ １１０およびＵＥ １２０の例示的な設計のブロック図を示す。図３に示される例示的な設計において、ノードＢ １１０は、単一の送信アンテナ３２２を備え、ＵＥ １２０は、それぞれアンテナ１および２と呼ばれうる２つの受信アンテナ３５２ａおよび３５２ｂを備える。一般的に、ノードＢ １１０およびＵＥ １２０は、各々、任意の数のアンテナを備えうる。
【００２１】
ノードＢ １１０において、送信プロセッサ３１０は、サービスを受けているＵＥへのトラフィックデータを受信し、そのトラフィックデータを処理（例えば、符号化、インターリーブ、シンボルマップ）して、データシンボルを生成しうる。プロセッサ３１０は、さらに、プライマリＳＣＨ、セカンダリＳＣＨ、および別のオーバーヘッドチャネルのためのオーバーヘッドシンボルを生成しうる。プロセッサ３１０は、さらに、ＣＰＩＣＨのためのパイロットシンボルを生成しうる。変調器３２０は、そのデータシンボル、オーバーヘッドシンボル、パイロットシンボルを処理し（例えば、ＣＤＭＡの場合）、出力サンプルを送信機３３０に提供しうる。変調器３２０は、各物理チャネル（ＳＣＨを除く）に対するシンボルを、そのチャネル用のチャネライゼーションコードを用いて拡散し、セルのスクランブリングコードを適用し、そのチャネルの送信電力によって決定された利得を用いて各物理チャネルのサンプルをスケーリングし、これらの物理チャネルのスケーリングされたサンプルを、Ｐ−ＳＣＨおよびＳ−ＳＣＨの送信電力によって決定された利得を用いてスケーリングされたＰ−ＳＣＨおよびＳ−ＳＣＨのサンプルと合計し、出力サンプルを獲得しうる。送信機３３０は、その出力サンプルを処理（例えば、アナログ変換、増幅、フィルタ、および周波数アップコンバート）し、アンテナ３３２を介して送信されうるダウンリンク信号を生成しうる。
【００２２】
ＵＥ １２０において、アンテナ３５２ａおよび３５２ｂは、ダウンリンク信号を、ノードＢ １１０および別のノードＢから受信しうる。各アンテナ３５２は、受信信号を関連する受信機３５４に提供しうる。各受信機３５４は、その受信信号を処理（例えば、フィルタ、増幅、周波数ダウンコンバート、デジタル化）し、入力サンプルを復調器３６０および探索プロセッサ３８０に提供することができる。探索プロセッサ３８０は、下に記述されるように、探索を実行してセルを検出し、検出されたセルについての探索結果を提供しうる。復調器３６０は、変調器３２０による処理に相補的な方法で入力サンプルを処理し、ノードＢ １１０によって送信されたシンボルの推定値でありうるシンボル推定値を提供しうる。復調器３６０は、ノードＢ １１０とそのアンテナ３５２との間の複数の信号経路による、各アンテナからの受信信号内の複数の信号インスタンスを処理することができるレーク受信機を実装しうる。受信プロセッサ３７０は、そのシンボル推定値を処理（例えば、シンボルデマップ（symbol demap）、デインターリーブ、および復号）し、復号されたデータおよびシグナリングを提供することができる。一般的に、ＵＥ １２０の復調器３６０および受信プロセッサ３７０による処理は、それぞれ、ノードＢ １１０の変調器３２０および送信プロセッサ３１０の処理に相補的でありうる。
【００２３】
コントローラ／プロセッサ３４０および３９０は、それぞれ、ノードＢ １１０およびＵＥ １２０での動作を指揮することができる。メモリ３４２および３９２は、それぞれ、ノードＢ １１０およびＵＥ １２０に対して、データおよびプログラムコードを記憶することができる。
【００２４】
ＵＥ １２０は、セルを検出するため、且つ、検出されたセルのタイミングを確かめるために探索を実行しうる。ＵＥは、様々な探索プロセスを使用して探索を実行しうる。一般的に、探索のためにＵＥによって実行される処理は、セルによって送信される信号／チャネルに依存しうる。明確さのために、図２に示される信号／チャネルのためにＵＥによって実行される処理が下に記述される。
【００２５】
第１の探索プロセスにおいて、ＵＥは、プライマリＳＣＨ、セカンダリＳＣＨ、および、ＣＰＩＣＨを使用して、３つのステップ１、２、３で探索を実行しうる。ＵＥは、次のように、各ステップを実行しうる。
【００２６】
ステップ１において、ＵＥは、ＵＥでの受信信号（または、入力サンプル）を、異なる時間オフセットで、局所的に生成されたＰＳＣと相関させることによって、プライマリＳＣＨで送信されるＰＳＣを探索しうる。各時間オフセットについて、ＵＥは、受信信号を、その時間オフセットのＰＳＣと相関させ、その相関結果が検出閾値を超える場合に、検出されたＰＳＣを宣言しうる。このように、ＵＥは、プライマリＳＣＨを使用して、セルの有無を検出し、そのセルのスロットタイミングを確かめることができる。
【００２７】
ステップ２において、ＵＥは、ＰＳＣが検出された各セルによって使用されるＳＳＣパターンを決定するために、セカンダリＳＣＨで送信されるＳＳＣを探索しうる。所与の検出セルについて、ＵＥは、そのセルのスロットタイミングで、各スロットの受信信号を、１６個の可能性のあるＳＳＣの各々と相関させ、どのＳＳＣがそのスロットで検出されたかを決定することができる。ＵＥは、１５個の連続スロットに対して１５個の検出されたＳＳＣを獲得することができる。次に、ＵＥは、１５個の連続スロットの１５個の検出されたＳＳＣに基づいて、６４個の可能性のあるＳＳＣパターンのうちのどれが送信されたかを確かめることができる。ＵＥは、検出されたＳＳＣパターンに基づいて、検出されたセルに使用されるフレームタイミングおよびスクランブリングコードグループを決定することができる。
【００２８】
ステップ３において、ＵＥは、ＳＳＣパターンが検出された各セルによって使用されるスクランブリングコードを決定するためにＣＰＩＣＨを処理しうる。所与の検出されたセルについて、ＵＥは、セルの検出されたＳＳＣパターンと関連付けられた８個の可能性のあるスクランブリングコードを決定しうる。ＵＥは、セルのフレームタイミングで、受信信号を、８個の可能性のあるスクランブリングコードの各々と相関させ、その相関結果が閾値を超える場合に、検出されたスクランブリングコードを宣言することができる。ＵＥは、さらに、異なる時間オフセットで、検出されたスクランブリングコードとの相関を実行し、検出されたセルについてのチャネルインパルス応答の推定を獲得することができる。
【００２９】
第２の探索プロセスにおいて、ＵＥは、プライマリＳＣＨおよびＣＰＩＣＨを使用して、３つのステップＡ、Ｂ、Ｃで探索を実行しうる。ステップＡは、セル検出ステップとも呼ばれうる。ステップＢは、コード検出ステップとも呼ばれうる。ステップＣは、チャネル推定ステップとも呼ばれうる。ＵＥは、次のように各ステップを実行しうる。
【００３０】
ステップＡにおいて、ＵＥは異なる時間オフセットで、受信信号を、局所的に生成されたＰＳＣと相関させることによって、プライマリＳＣＨで送信されるＰＳＣを探索しうる。ＵＥは、セルの有無を検出し、そのセルのスロットタイミングを確かめることができる。ステップＡは、上記ステップ１に相当しうる。
【００３１】
ステップＢにおいて、ＵＥは、ＣＰＩＣＨを処理し、ＰＳＣが検出された各セルによって使用されるスクランブリングコードを決定しうる。所与の検出されたセルについて、ＵＥは、そのセルについての検出されたスロットタイミングに基づいて、１５個の可能性のあるフレームタイミング仮説を有しうる。ＵＥは、１５個の可能性のあるフレームタイミング仮説の各々において、５１２個の可能性のあるスクランブリングコードの各々を評価しうる。このように、ＵＥは、各々が特定のフレームタイミングの特定のスクランブリングコードに対応する仮説を、トータルで７６８０個評価しうる。各仮説に対して探索ウィンドウが使用される場合、ＵＥは、ステップＢの処理量を減らすために、わずか数個の時間オフセット（例えば、数チップ）をカバーする小さい探索ウィンドウだけにわたって相関を実行しうる。ＵＥは、その相関結果が閾値を超える場合、検出されたスクランブリングコードを宣言することができる。
【００３２】
ステップＣにおいて、ＵＥは、ＣＰＩＣＨを処理して、スクランブリングコードが検出された各セルについてのチャネルインパルス応答を推定しうる。所与の検出されたセルについて、ＵＥは、より大きい探索ウィンドウ内の異なる時間オフセット（例えば、１２８、１９２、または２５６チップ）で、受信信号を、検出されたスクランブリングコードと相関させ、その検出されたセルについてのチャネルインパルス応答推定を獲得しうる。チャネルインパルス応答は、さらに、チャネルプロフィール、経路プロフィールなどとも呼ばれうる。探索ウィンドウは、例えば、フレームタイミングの中心など、ステップＢによって提供されたフレームタイミングによって決定される位置に設置されうる。
【００３３】
上に記述された２つの探索プロセスによって、ＵＥは、インクリメンタルなステップで探索を実行し、各ステップで獲得された情報を、次のステップの処理に使用することができる。第１の探索プロセスによって、ＵＥは、より均一に、探索を３つのステップに分割することができる。しかしながら、第１の探索プロセスは、ステップ２がセカンダリＳＣＨを利用するため、より長い時間がかかりうる。各セルは、各無線フレームで一度そのＳＣＨパターンを送信し、さらに、スロットの１０パーセントだけで各ＳＳＣを送信する。ＵＥは、１つの無線フレームの後にＳＣＨパターンを検出することができるが、検出パフォーマンスを向上させるために、複数の無線フレームにわたって累積する必要がある（例えば、ＳＳＣの低いデューティサイクルのため）。第２の探索プロセスは、ＵＥが、より早く探索を完了させることを可能にし、さらに、ステップＢが、継続的に、且つ、恐らくはセカンダリＳＣＨよりも高い電力で送信されるＣＰＩＣＨを利用するため、向上されたパフォーマンスを有しうる。ＵＥは、さらに、別の方法で探索を分割しうる別の探索プロセスを使用して探索を実行することができる。
【００３４】
ＵＥは、セルからの信号を受信するために使用されうる複数の受信アンテナを備えうる。受信ダイバーシティ（Ｒ×Ｄ）は、複数の受信アンテナのうちの１つまたはそれらの組み合わせを介して、信号を所与のセルから受信することによって達成されうる。受信ダイバーシティは、パフォーマンスを向上することができる。
【００３５】
ある態様において、探索のために、複数のＲ×Ｄ探索モードがサポートされうる。各Ｒ×Ｄ探索モードは、複数の受信アンテナに対して、相関がどのように実行されるか、異なるアンテナについての相関結果がどのように結合されるか、その複数の受信アンテナについての探索結果がどのように報告されるか等によって定義されうる。異なるＲ×Ｄ探索モードは、次に記述されるような異なる特性を有しうる。各Ｒ×Ｄ探索モードは、１または複数の探索ステップに使用されうる。
【００３６】
表１は、１つの例示的な設計に従って、３つのＲ×Ｄ探索モードをリストする。表１は、各Ｒ×Ｄ探索モードの短い説明を提供し、さらに、各Ｒ×Ｄ探索モードが使用されうる可能性のあるステップをリストする。各Ｒ×Ｄ探索モードは、下で、さらに詳細に記述される。
【表１】
0005442856.tif 000003
【００３７】
図４は、図３の探索プロセッサ３８０の１つの構成でありうる、Ｒ×Ｄ探索モード１用の探索プロセッサ３８０ａの設計のブロック図を示す。各受信機３５４は、関連アンテナ３５２からの受信信号を処理し、探索プロセッサ３８０ａ内の関連する相関器４１０に入力サンプルを提供しうる。各相関器４１０は、コードを用いて、その入力サンプルに相関を実行し、相関結果を提供しうる。そのコードは、実行されている探索のタイプに依存し、ＰＳＣ、ＳＳＣ、スクランブリングコードでありうる。各信号経路は、それ自体の対応ハードウェアを有するように示されているが、別の設計では、例えば、異なる信号が同一のハードウェアコンポーネントを共有し、それらを時分割方式で使用しうることは認識されるべきである。
【００３８】
各相関器４１０による相関は、次のように表されうる：
【数２】
0005442856.tif 000004
【００３９】
ここで、ｒｍ（ｎ）は、サンプル期間ｎにおけるアンテナｍについての入力サンプルであり、ｃ（ｎ）は、相関に使用されるコードであり、Ｃｍ（ｋ）は、時間オフセットｋにおける、アンテナｍについての相関結果であり、Ｎは、相関されるべき入力サンプルの数であり、「＊」は、複素共役を表す。
【００４０】
プライマリＳＣＨの相関（例えば、上に記述されたステップ１またはステップＡにおける）について、ｃ（ｎ）は、ＰＳＣのための２５６チップのシーケンスであり、Ｎは２５６に等しくありうる。セカンダリＳＣＨの相関（例えば、ステップ２における）について、ｃ（ｎ）は、１つのＳＳＣのための２５６チップのシーケンスであり、Ｎは２５６に等しくありうる。ＣＰＩＣＨの相関（例えば、ステップ３、ステップＢ、または、ステップＣにおける）について、ｃ（ｎ）は、スクランブリングコードであり、Ｎは、１２８、２５６、５１２、１０２４、２０４８、２０９６などに等しくありうる。入力サンプルが、複素数値（complex value）でありうるため、相関結果Ｃｍ（ｋ）は複素数値でありうる。
【００４１】
各相関器４１０は、探索ウィンドウ内の異なる時間オフセットで、コードｃ（ｎ）との相関を実行し、各時間オフセットについての相関結果を提供しうる。各相関器４１０は、さらに、異なる時間インターバルで、コードｃ（ｎ）との相関を実行し、各時間インターバルの異なる時間オフセットについての相関結果のセットを提供しうる。各時間インターバルの持続時間は、実行されている探索のタイプに依存し、プライマリＳＣＨの場合に１スロット、セカンダリＳＣＨの場合に１フレーム、ＣＰＩＣＨの場合にＮチップでありうる。
【００４２】
各相関器４１０は、その相関結果を関連する結合器４２０に提供しうる。各結合器４２０は、各時間オフセットについての相関結果を、コヒーレントおよび／または非コヒーレントに結合しうる。各時間オフセットについて、各結合器４２０は、異なる時間インターバルで獲得された相関結果を、次のようにコヒーレントに結合する：
【数３】
0005442856.tif 000005
【００４３】
各時間オフセットについて、各結合器４２０は、さらに、異なる時間インターバルで獲得された相関結果を、次のように非コヒーレントに結合しうる：
【数４】
0005442856.tif 000006
【００４４】
ここで、ＣＮＣ,ｍ（ｋ）は、時間オフセットｋにおけるアンテナｍについての非コヒーレントに結合された相関結果である。
【００４５】
式（２）で示されるように、コヒーレント結合は、複素数値の位相が、結果に影響を及ぼすように複素数値を合計する。式（３）で示されるように、非コヒーレント結合は、実際のエネルギー値を合計する。コヒーレント結合および非コヒーレント結合は、ノイズを平均化し、相関結果の精度を改善するために使用されうる。コヒーレント結合は、より良いパフォーマンスを提供するが、大きい位相差分を伴って複素数値を結合しないようにするために、無線チャネルが顕著に変化しない状況に限定されうる。非コヒーレント結合は、ほとんどの状況に使用されうる。さらに、コヒーレント結合と非コヒーレント結合の両方が実行されうる。
【００４６】
各結合器４２０は、各時間オフセットについての結合相関結果のエネルギーを、次のように計算しうる：
【数５】
0005442856.tif 000007
【００４７】
または、
【数６】
0005442856.tif 000008
【００４８】
ここで、Ｅｍ（ｋ）は、時間オフセットｋにおけるアンテナｍについてのエネルギーである。Ｅｍ（ｋ）は、遅延ｋにおける、セルからアンテナｍへの信号経路の強度を表す。
【００４９】
各ポストプロセッサ４３０は、異なる時間オフセットについてのエネルギーを分類し、その受信アンテナについての探索結果を提供しうる。１つの設計において、各ポストプロセサ４３０は、特定の閾値を超えるエネルギーを有する各時間オフセットを識別し、エネルギーおよび時間オフセットを提供しうる。別の設計において、各ポストプロセッサ４３０は、Ｌ個の異なる時間オフセットのＬ個の最強ピークについてのエネルギーおよび時間オフセットを提供しうる。ここで、Ｌは、１またはそれよりも大きくありうる。各受信アンテナについての探索結果は、さらに、別の情報を備えうる。強い信号経路を処理するため、および／または、別の目的のために、探索結果が使用され、レーク受信機のフィンガを割り当てうる。
【００５０】
図４に示されるように、相関器４１０ａ、結合器４２０ａ、および、ポストプロセッサ４３０ａは、第１の受信アンテナ３５２ａ上を探索し、このアンテナについての探索結果を提供しうる。同様に、相関器４１０ｂ、結合器４２０ｂ、および、ポストプロセッサ４３０ｂは、第２の受信アンテナ３５２ｂを探索し、このアンテナについての探索結果を提供しうる。２つの受信アンテナについての探索結果は、別々に報告されうる。Ｒ×Ｄ探索モード１は、フィンガ割当のために、各受信アンテナについてのチャネルプロフィールを獲得するステップ３およびステップＣにとって特に有益でありうる。
【００５１】
図５は、図３の探索プロセサ３８０の別の構成でありうる、Ｒ×Ｄ探索モード２用の探索プロセサ３８０ｂの設計のブロック図を示す。各受信機は、関連アンテナ３５２からの受信信号を処理し、入力サンプルを、探索プロセッサ３８０ｂ内の関連する相関器４１０に提供しうる。各相関器４１０は、上に記述されたように、異なる時間オフセットにおいて、コード（例えば、ＰＳＣ、ＳＳＣ、またはスクランブリングコード）を用いて、その入力サンプルに相関を実行し、異なる時間オフセットについての相関結果を提供しうる。
【００５２】
結合器４２０ｃは、相関器４１０ａおよび４１０ｂの両方から相関結果を受信し、次のように、その相関結果を結合する：
【数７】
0005442856.tif 000009
【００５３】
または、
【数８】
0005442856.tif 000010
【００５４】
ここで、Ｅ（ｋ）は、時間オフセットｋにおける２つの受信アンテナについてのトータルエネルギーである。
【００５５】
結合器４２０ｃは、異なる時間インターバルについてのＥ（ｋ）を獲得し、時間オフセットｋごとに、時間インターバルにわたってＥ（ｋ）を非コヒーレントに結合しうる。次に、結合器４２０ｃは、異なる時間オフセットについてのエネルギーを、ポストプロセッサ４３０ｃに提供しうる。ポストプロセッサ４３０ｃは、異なる時間オフセットについてのエネルギーを分類し、両方の受信アンテナについて、探索結果を一斉に提供しうる。１つの設計において、ポストプロセッサ４３０ｃは、特定の閾値を超えるエネルギーを有する各時間オフセットを識別し、エネルギーおよび時間オフセットを提供しうる。別の設計において、ポストプロセッサ４３０ｃは、Ｌ個の異なる時間オフセットにおけるＬ個の最強ピークについてのエネルギーおよび時間オフセットを提供しうる。両方の受信アンテナについての探索結果は、さらに、別の情報を備えうる。
【００５６】
図６は、図３の探索プロセッサ３８０のさらに別の構成でありうる、Ｒ×Ｄ探索モード３用の探索プロセッサ３８０ｃの設計のブロック図を示す。各受信機３５４は、関連アンテナ３５２からの受信信号を処理し、入力サンプルを、探索プロセッサ３８０ｃ内の関連する相関器４１０に提供しうる。各相関器４１０は、上に記述されたように、異なる時間オフセットにおいて、コード（例えば、ＰＳＣ、ＳＳＣ、あるいは、スクランブリングコード）を用いて、その入力サンプルに相関を実行し、異なる時間オフセットについての相関結果を提供しうる。
【００５７】
Ｒ×Ｄ探索モード３は、干渉セルからの信号を減衰させるために、干渉キャンセレーションを実行する。干渉キャンセレーションは、次のように、（ｉ）各受信アンテナの入力サンプルを、そのアンテナの複素重みと掛け合わせ、（ｉｉ）２つの受信アンテナの重み付けられたサンプルを結合することによって達成されうる：
【数９】
0005442856.tif 000011
【００５８】
ここで、αは、アンテナ１の複素重みであり、は、βはアンテナ２の複素重みである。
【００５９】
干渉セルからの信号を減衰させるように、２つの受信アンテナの複素重みαおよびβが選択されうる。次に、入力サンプルと同様の方法で、重み付けられたサンプルｒ（ｎ）に相関が実行され、２つの受信アンテナについての相関結果Ｃ（ｋ）が獲得されうる。このように、相関は、各受信アンテナに適用される複素重みを有する全ての受信アンテナに対して実行されうる。
【００６０】
複素重みαおよびβは、相関の持続時間の間、一定であると仮定されうる。この場合、各受信機アンテナｍの入力サンプルに相関が実行され、そのアンテナについての相関結果Ｃｍ（ｋ）が獲得されうる。次に、２つの受信アンテナについての相関結果は、次のように、複素重みと掛け合わせられ、続いて結合されうる：
【数１０】
0005442856.tif 000012
【００６１】
複素重みαおよびβを、式（６）に示されるように入力サンプルに適用する代わりに、式（７）に示されるように相関結果に適用することは、干渉キャンセレーションを達成するための乗算演算の回数を減らし、複素重みが相関の持続時間の間ほぼ一定である場合に、等価結合相関結果Ｃ（ｋ）を提供しうる。
【００６２】
図６に示されるように、相関器４１０ａは、異なる時間オフセットにおけるアンテナ１についての相関結果Ｃ１（ｋ）を、重み計算ユニット４４０から複素重みαを受信しうる乗算器４１２ａに提供しうる。乗算器４１２ａは、各相関結果を、重みαと掛け合わせ、重み付けされた相関結果を結合器４２０ｄに提供しうる。同様に、相関器４１０ｂは、異なる時間オフセットにおけるアンテナ２についての相関結果Ｃ２（ｋ）を、複素重みβを計算ユニット４４０から受信しうる乗算器４１２ｂに提供しうる。乗算器４１２ｂは、各相関結果を、重みβと掛け合わせ、重み付けされた相関結果を、結合器４２０ｄに提供しうる。
【００６３】
結合器４２０ｄは、重み付けされた相関結果を、両方の乗算器４１２ａおよび４１２ｂから受信し、例えば、式（７）で示されるように、その重み付けされた相関結果を結合しうる。結合器４２０ｄは、異なる時間インターバルについての結合相関結果Ｃ（ｋ）を獲得し、各時間オフセットｋに対して、時間インターバルにわたってＣ（ｋ）を非コヒーレントに結合しうる。次に、結合器４２０ｄは、結合相関結果のエネルギーを計算し、異なる時間オフセットについてのエネルギーをポストプロセッサ４３０ｄに提供しうる。ポストプロセッサ４３０ｄは、異なる時間オフセットについてのエネルギーを分類し、両方の受信アンテナについての探索結果を提供しうる。１つの設計において、ポストプロセッサ４３０ｄは、特定の閾値を超えるエネルギーを有する各時間オフセットを識別し、エネルギーおよび時間オフセットを提供しうる。別の設計において、ポストプロセッサ４３０ｄは、Ｌ個の異なる時間オフセットにおけるＬ個の最強ピークについてのエネルギーおよび時間オフセットを提供しうる。両方の受信アンテナについての探索結果は、さらに、別の情報を備えうる。
【００６４】
計算ユニット４４０は、２つの受信アンテナについての複素重みαおよびβを計算および提供しうる。計算ユニット４４０は、複素重みを、様々な方法で決定しうる。１つの設計において、計算ユニット４４０は、次のように、２×２の相関行列Ｒを決定しうる：
【数１１】
0005442856.tif 000013
【００６５】
ここで、
【数１２】
0005442856.tif 000014
【００６６】
は、アンテナｉの入力サンプルと、アンテナｊの入力サンプルとの相関の平均を表す。ここで、
【数１３】
0005442856.tif 000015
【００６７】
である。
【数１４】
0005442856.tif 000016
【００６８】
は、ｒｉ（ｎ）を
【数１５】
0005442856.tif 000017
【００６９】
と掛け合わせ、結果として得られる積を十分な数のサンプルにわたって平均化することによって獲得されうる。行列Ｒは、２つの行および２つの列の４つの複素数値を含む。
【００７０】
計算ユニット４４０は、次のように、行列Ｒの固有値分解を実行しうる：
【数１６】
0005442856.tif 000018
【００７１】
ここで、Ｅは、Ｒの固有ベクトルからなる２×２のユニタリ行列であり、Λは、Ｒの固有値からなる２×２の対角行列であり、
【数１７】
0005442856.tif 000019
【００７２】
は、エルミート（Hermitian）または共役移項（conjugate transpose）を表す。
【００７３】
ユニタリ行列Ｅは、性質
【数１８】
0005442856.tif 000020
【００７４】
によって特徴付けられる。ここで、Ｉは、恒等行列である。Ｅの列は、互いに直交であり、各列はユニット電力（unit power）を有する。対角行列Λは、Ｒが正の定符号である非縮退（non-degenerate）の場合に、対角線に沿って正の値を、他の場所には０を含む。Λの対角線要素は、Ｒの固有値である。Λにおける最小固有値の値が識別され、この最小固有値の値に対応する固有ベクトルが選択されうる。選択された固有ベクトルは、（ｉ）Λの左上の要素がΛの右下の要素よりも小さい場合にＥの第１の列であるか、あるいは、（ｉｉ）Λの右下の要素がΛの左上の要素よりも小さい場合にＥの第２の列でありうる。選択された固有ベクトルのうちの２つのエントリの複素共役は、２つの複素重みαおよびβとして提供されうる。
【００７５】
Ｒ×Ｄ探索モード３において、干渉キャンセレーションは、セルからの信号の検出を可能にするか、あるいは、それを改善するために実行されうる。１つの設計において、干渉セルが識別され、これらのセルからの信号を減衰させるために、複素重みが計算されうる。別の設計において、干渉セルが識別され、その識別された各セルに対して、例えば、一度に１つのセルに対して連続的に、干渉キャンセレーションが実行されうる。
【００７６】
Ｒ×Ｄ探索モード３は、第１および第２の探索プロセスについて上に記述されたステップのいずれかに対して使用されうる。Ｒ×Ｄ探索モード３は、検出された弱いセルに対するスクランブリングコードとの相関にとって特に有益でありうる。
【００７７】
Ｒ×Ｄ探索モード３は、位置づけるために、セルを探索することに使用されうる。例えば、Ｒ×Ｄ探索モード３は、異なるセルからの信号の到着時間（ＴＯＡ）を測定するために使用されうる。ＴＯＡは、セルの対についてのＯＴＤＯＡ（observed time difference of arrival）を決定するために使用されうる。十分な数のセルの対（例えば、２つまたはそれより多くのセルの対）についてのＯＴＤＯＡ、および、セルの既知の位置は、三角測量を使用して、ＵＥの位置推定を導き出すために使用されうる。
【００７８】
３つの例示的なＲ×Ｄ探索モードが、上に記述されている。別のＲ×Ｄ探索モードもサポートされており、別の方法で相関、結合、および／または報告を実行しうる。異なるＲ×Ｄ探索モードは、例えば、探索の目的に依存して、異なるタイプの探索に使用されうる。例えば、Ｒ×Ｄ探索モード２は、スロットおよびフレームタイミングを検出するため、および、スクランブリングコードを決定するために、第２の探索プロセスのステップＡおよびＢに使用されうる。Ｒ×Ｄ探索モード１は、各受信アンテナについてのチャネルプロフィールを決定するために、第２の探索プロセスのステップＣに使用されうる。
【００７９】
図７は、複数の受信アンテナを備えるＵＥによって探索を実行するためのプロセス７００の設計を示す。ＵＥは、ＵＥによってサポートされる複数のＲ×Ｄ探索モードの中から１つのＲ×Ｄ探索モードを選択しうる（ブロック７１２）。各Ｒ×Ｄ探索モードは、（ｉ）複数の受信アンテナについての相関、（ｉｉ）その複数の受信アンテナについての相関結果の結合、（ｉｉｉ）その複数の受信アンテナについての探索結果の報告、あるいは、（ｉｖ）それらの組み合せにおいて、残りのＲ×Ｄ探索モードの各々とは異なりうる。例えば、１つのＲ×Ｄ探索モードは、別のＲ×Ｄ探索モードとは異なった方法で、複数の受信アンテナに対して相関を実行し、および／または、さらに別のＲ×Ｄ探索モードとは異なった方法で、複数の受信アンテナについての相関結果を結合しうる。いずれの場合においても、ＵＥは、選択されたＲ×Ｄ探索モードに従って、少なくとも１つの探索ステップを実行しうる（ブロック７１４）。
【００８０】
複数のＲ×Ｄ探索モードは、相関が、各受信アンテナに対して別々に実行され、相関結果が、各受信アンテナに対して別々に結合され、探索結果が、各受信アンテナに対して別々に報告されるＲ×Ｄ探索モード１を含みうる。複数のＲ×Ｄ探索モードは、相関が、各受信アンテナに対して別々に実行され、複数の受信アンテナについての相関結果が結合され、全ての受信アンテナについての探索結果が一斉に報告されるＲ×Ｄ探索モード２を含みうる。複数のＲ×Ｄ探索モードは、相関が、各受信アンテナに適用される複素重みを有する全ての受信アンテナに対して実行され、複数の受信アンテナについての相関結果が結合され、全ての受信アンテナについての探索結果が一斉に報告されるＲ×Ｄ探索モード３を含みうる。各受信アンテナの複素重みは、干渉セルからの信号を減衰させ、別のセルからの信号の検出を可能にするか、あるいは、改善するために決定されうる。複数のＲ×Ｄ探索モードは、さらに、異なる、および／または、追加のＲ×Ｄ探索モードを含みうる。
【００８１】
１つの設計において、探索は、セルを検出するため、および、検出されたセルの各々のスロットタイミングを決定するために、セル検出ステップ（例えば、ステップＡ）を含みうる。セル検出ステップは、Ｒ×Ｄ探索モード２でありうる選択されたＲ×Ｄ探索モードに従って実行されうる。１つの設計において、ＵＥは、各受信アンテナの入力サンプルをＰＳＣと相関させ、その受信アンテナについての相関結果を獲得しうる。ＵＥは、複数の受信アンテナについての相関結果を結合し、結合相関結果を獲得しうる。ＵＥは、各時間オフセットまたはサンプル期間に対して、そのプロセスを繰り返しうる。次に、ＵＥは、異なる時間オフセットについての結合相関結果に基づいて、探索結果（例えば、検出セル、スロットタイミングなど）を決定しうる。
【００８２】
１つの設計において、探索は、検出されたセルによって使用されるスクランブリングコードを決定するためのコード検出ステップ（例えば、ステップＢ）を含みうる。コード検出ステップは、Ｒ×Ｄ探索モード２でありうる選択されたＲ×Ｄ探索モードに従って実行されうる。１つの設計において、ＵＥは、各受信アンテナの入力サンプルを、複数（例えば、５１２個）の可能性のあるスクランブリングコードの各々と相関させ、その受信アンテナの複数の可能性のあるスクランブリングコードについての複数の相関結果を獲得しうる。ＵＥは、各スクランブリングコードに対して複数の受信アンテナについての相関結果を結合し、そのスクランブリングコードについての結合相関結果を獲得しうる。ＵＥは、各複数（例えば、１５個）のフレームタイミング仮説の各々に対して相関および結合を繰り返し、各スクランブリングコードおよび各受信アンテナに対して複数のフレームタイミング仮設についての複数の結合相関結果を獲得しうる。次に、ＵＥは、全ての結合探索結果に基づいて探索結果（例えば、スクランブリングコード、フレームタイミングなど）を決定しうる。
【００８３】
１つの設計において、探索は、検出されたセルの各受信アンテナについてのチャネルプロフィールを決定するためのチャネル推定ステップ（例えば、ステップＣ）を含みうる。チャネル推定ステップは、Ｒ×Ｄ探索モード１でありうる選択されたＲ×Ｄ探索モードに従って実行されうる。１つの設計において、ＵＥは、各受信アンテナの入力サンプルを、複数の時間オフセットで、検出されたセルのスクランブリングコードと相関させ、その受信アンテナの各々に対して複数の時間オフセットについての複数の相関結果を獲得しうる。ＵＥは、各時間オフセットおよび各受信アンテナに対して異なる時間インターバルで獲得された相関結果を結合しうる。次に、ＵＥは、各受信アンテナについての探索結果（例えば、チャネルプロフィール）を、その受信アンテナに対する複数の時間オフセットについての複数の結合相関結果に基づいて決定しうる。
【００８４】
図８は、複数の受信アンテナを有するＵＥによって探索を実行するためのプロセス８００の設計を示す。ＵＥは、第１のＲ×Ｄ探索モードに従って第１の探索ステップを実行しうる（ブロック８１２）。ＵＥは、第２のＲ×Ｄ探索モードに従って第２の探索ステップを実行しうる（ブロック８１４）。第２のＲ×Ｄ探索モードは、複数の受信アンテナについての相関、その複数の受信アンテナについての相関結果の結合、その複数の受信アンテナについての探索結果の報告、あるいは、それらの組み合わせにおいて、第１のＲ×Ｄ探索モードとは異なりうる。
【００８５】
１つの設計における第１のＲ×Ｄ探索モードについて、ＵＥは、各受信アンテナに対して別々に相関を実行し、複数の受信アンテナについての相関結果を結合し、全ての受信アンテナにつての探索結果を一斉に報告しうる。１つの設計における第２のＲ×Ｄ探索モードについて、ＵＥは、各受信アンテナに対して別々に相関を実行し、相関結果を各受信アンテナに対して別々に結合し、探索結果を各受信アンテナに対して別々に報告しうる。第１および第２のＲ×Ｄ探索モードは、さらに、別の方法で、相関、結合、および／または報告を実行しうる。
【００８６】
１つの設計において、第１の探索ステップは、（ｉ）セルを検出し、各検出されたセルのスロットタイミングを決定すること、または、（ｉｉ）検出されたセルによって使用されるスクランブリングコードを決定することを備えうる。１つの設計において、第２の探索ステップは、検出されたセルの各受信アンテナについてのチャネルプロフィールを決定することを備えうる。第１および第２のステップは、さらに、別の動作を備えうる。
【００８７】
図９は、複数の受信アンテナを有するＵＥによって、干渉キャンセレーションと共に、探索を実行するためのプロセス９００の設計を示す。ＵＥは、干渉セルからの信号を減衰させるために複数の受信アンテナについての複数の複素重みを決定しうる（ブロック９１２）。次に、ＵＥは、複数の受信アンテナに適用される複数の複素重みを用いて、少なくとも１つのセルを検出するために探索を実行し、干渉セルからの信号を減衰させうる（ブロック９１４）。
【００８８】
ブロック９１２の１つの設計において、ＵＥは、例えば、式（８）に示されるように、複数の受信アンテナの入力サンプルに基づいて相関行列を獲得しうる。ＵＥは、その相関行列を（例えば、固有値分解を用いて）分解し、例えば、式（９）で示されたように、固有値からなる第１の行列および固有ベクトルからなる第２の行列を獲得しうる。ＵＥは、第１の行列の最小固有値と関連付けられた第２の行列の固有ベクトルを識別しうる。次に、ＵＥは、識別された固有ベクトルのエレメントの複素共役を、複数の受信アンテナについての複数の複素重みとして使用しうる。
【００８９】
ブロック９１４の１つの設計において、ＵＥは、各受信アンテナの入力サンプルを、検出されたセルのスクランブリングコードと相関させ、受信アンテナについての相関結果を獲得しうる。ＵＥは、各受信アンテナについての相関結果を、その受信アンテナの複素重みと掛け合わせる。次に、ＵＥは、複数の受信アンテナについての重み付けされた相関結果を結合し、例えば、式（７）で示されるように、結合相関結果を獲得しうる。等価的に、ＵＥは、各受信アンテナの入力サンプルを、そのアンテナの複素重みと掛け合わせうる。ＵＥは、例えば、式（６）で示されるように、全ての受信アンテナの重み付けられたサンプルを結合しうる。次に、ＵＥは、結合サンプルに基づいて、相関を実行しうる。
【００９０】
ＵＥは、探索に基づき、少なくとも１つのセルついての少なくとも１つの時間測定を獲得しうる。ＵＥについての位置推定は、少なくとも１つのセルについての少なくとも１つの時間測定に基づいて獲得されうる。ＵＥは、さらに、別の探索結果を獲得し、および／または、別の目的のために別の方法でその探査結果を使用しうる。
【００９１】
当業者は、情報と信号が、任意の多様で異なるテクノロジと技術を用いて表されることを理解するであろう。例えば、上記全体を通して参照されうるデータ、命令、コマンド、情報、信号、ビット、シンボル、およびチップは、電圧、電流、電磁波、磁場または粒子、光電場または光粒子、または、これらのあらゆる組み合わせによって表されうる。
【００９２】
当業者はさらに、本明細書の開示と関連して記述されている様々な実例となる論理ブロック、モジュール、回路、アルゴリズムステップが、電子ハードウェア、コンピュータソフトウェアまたは両方の組み合わせとして実装されうることを認識するであろう。このハードウェアとソフトウェアの互換性を明確に示すために、様々な実例となるコンポーネント、ブロック、モジュール、回路、ステップが、それらの機能性という観点から一般的に上に記述されている。ハードウェア、または、ソフトウェアとしてそのような機能性が実装されるか否かは、特定のアプリケーションとシステム全体に課された設計制約とに依存する。当業者は、特定アプリケーションについて様々な方法で上記機能性を実装することができるが、このような実装の決定は本開示の範囲からの逸脱を生じさせると解釈されるべきではない。
【００９３】
本明細書の開示に関して記述される様々な実例となる論理ブロック、モジュール、回路は、汎用のプロセッサ、デジタル信号プロセッサ（ＤＳＰ）、特定用途向け集積回路（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、もしくは、本明細書に記述された機能を実行するよう設計されたこれらの任意の組み合わせによって実装または実行されうる。汎用プロセッサはマイクロプロセッサでありうるが、代替で、そのプロセッサは、任意の従来のプロセッサ、コントローラ、マイクロコントローラ、またはステートマシンでありうる。プロセッサは、さらに、例えば、ＤＳＰとマクロプロセッサ、複数のマイクロプロセッサ、ＤＳＰコアに結合した１または複数のマイクロプロセッサ、または、その他の上記構成の組み合わせといった計算デバイスの組み合わせとしても実装されうる。
【００９４】
本明細書の開示に関して記述された方法またはアルゴリズムのステップは、直接的にハードウェアに、プロセッサによって実行されるソフトウェアモジュールに、または、それら二つの組み合わせに組み込まれうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または、本技術分野において周知の記憶媒体の他の形態に存在しうる。例示的な記憶媒体は、プロセッサが記憶媒体から情報を読み取り、記憶媒体に情報を書き込むことができるように、プロセッサに結合される。代替において、記憶媒体はプロセッサに一体化されうる。プロセッサと記憶媒体はＡＳＩＣ内に存在しうる。ＡＳＩＣはユーザ端末内に存在しうる。代替において、プロセッサと記憶媒体は、個別コンポーネントとして、ユーザ端末内に存在しうる。
【００９５】
１または複数の例示的な設計において、記述された機能は、ハードウェア、ソフトウェア、ファームウェア、またはそれらの組み合わせに実装されうる。ソフトウェアで実装された場合、その機能はコンピュータ可読媒体上の１または複数の命令あるいはコードとして記憶または送信されうる。コンピュータ可読媒体は、コンピュータ記憶媒体と、ある箇所から別の箇所へのコンピュータプログラムの転送を容易にする任意の媒体を含む通信媒体との両方を含みうる。記憶媒体は、汎用コンピュータまたは専用コンピュータによりアクセスされることができる任意の利用可能な媒体でありうる。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、もしくは、汎用コンピュータまたは専用コンピュータ、あるいは、汎用プロセッサまたは専用プロセッサによってアクセスされることができ、命令やデータ構造形で所望のプログラムコード手段を搬送または記憶するために使用可能な任意の他の媒体を備えることができる。さらに、任意の接続は適切にコンピュータ可読媒体と呼ばれる。例えば、同軸ケーブル、光ファイバーケーブル、撚線対、デジタル加入者回線（ＤＳＬ）、または赤外線、無線、マイクロ波などの無線テクノロジを使用してウェブサイト、サーバ、または他のリモートソースからソフトウェアが送信されると、その同軸ケーブル、光ファイバーケーブル、撚線対、ＤＳＬ、または赤外線、無線、マイクロ無線などの無線テクノロジは媒体の定義に含まれる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。上記の組み合わせもコンピュータ可読媒体の範囲内に含まれるべきである。
【００９６】
本開示の以上の記述は、当業者が本開示を実施および使用することを可能にするために提供される。本開示に対する様々な変更は当業者には容易に明らかであり、本明細書において定義された包括的な原理は、本開示の精神または範囲を逸脱することなく他の変形例に適用されうる。このように、本開示は、本明細書に記載の例および設計に制限されることを企図しておらず、本明細書で開示される原理および新規な特徴と合致する最も広い範囲が与えられるべきである。
下記に出願時の請求項１−４３に対応した記載を付記１−４３として表記する。
付記１
複数の受信アンテナを有するユーザ機器（ＵＥ）によってサポートされる複数の受信ダイバーシティ（Ｒ×Ｄ）探索モードの中から１つのＲ×Ｄ探索モードを選択することと、なお、各Ｒ×Ｄ探索モードは、前記複数の受信アンテナについての相関、前記複数の受信アンテナについての相関結果の結合、前記複数の受信アンテナについての探索結果の報告のうちの少なくとも１つにおいて、残りのＲ×Ｄ探索モードの各々とは異なり、
前記選択されたＲ×Ｄ探索モードに従って少なくとも１つの探索ステップを実行することと、
を備える、無線通信のための方法。
付記２
前記複数のＲ×Ｄ探索モードは、相関が、各受信アンテナに対して別々に実行され、相関結果が、各受信アンテナに対して別々に結合され、探索結果が各受信アンテナに対して別々に報告されるＲ×Ｄ探索モードを含む、付記１に記載の方法。
付記３
前記複数のＲ×Ｄ探索モードは、相関が各受信アンテナに対して別々に実行され、前記複数の受信アンテナについての相関結果が結合され、全ての受信アンテナについての探索結果が一斉に報告されるＲ×Ｄ探索モードを含む、付記１に記載の方法。
付記４
前記複数のＲ×Ｄ探索モードは、各受信アンテナに適用される複素重みを有する全ての受信アンテナに対して相関が実行され、前記複数の受信アンテナについての相関結果が結合され、全ての受信アンテナについての探索結果が一斉に報告されるＲ×Ｄ探索モードを含む、付記１に記載の方法。
付記５
別のセルからの信号の検出を可能にする、または、改善するために、各受信アンテナの前記複素重みを決定して、干渉セルからの信号を減衰させることをさらに備える、付記４に記載の方法。
付記６
前記探索は、少なくとも１つのセルを検出し、各検出されたセルのスロットタイミングを決定するためのセル検出ステップを備え、前記少なくとも１つの探索ステップを実行することは、前記選択されたＲ×Ｄ探索モードに従って前記セル検出ステップを実行することを備える、付記１に記載の方法。
付記７
前記選択されたＲ×Ｄ探索モードに従ってセル検出ステップを実行することは、
各受信アンテナの入力サンプルを、プライマリ同期化コード（ＰＳＣ）と相関させ、前記受信アンテナについての相関結果を獲得することと、
前記複数の受信アンテナについての相関結果を結合し、結合相関結果を獲得することと、
前記結合された相関結果に基づいて探索結果を決定することと、
を備える、付記６に記載の方法。
付記８
前記探索は、検出されたセルによって使用されるスクランブリングコードを決定するためのコード検出ステップを備え、前記少なくとも１つの探索ステップを実行することは、前記選択されたＲ×Ｄ探索モードに従って前記コード検出ステップを実行することを備える、付記１に記載の方法。
付記９
前記選択されたＲ×Ｄ探索モードに従ってコード検出を実行することは、
各受信アンテナの入力サンプルを、複数の可能性のあるスクランブリングコードの各々と相関させ、前記受信アンテナの前記複数の可能性のあるスクランブリングコードについての複数の相関結果を獲得することと、
各スクランブリングコードに対する前記複数の受信アンテナについての相関結果を結合して、前記スクランブリングコードについての結合相関結果を獲得することと、
前記複数のスクランブリングコードについての複数の結合相関結果に基づいて探索結果を決定することと、
を備える、付記８に記載の方法。
付記１０
前記選択されたＲ×Ｄ探索モードに従ってコード検出を実行することは、
複数のフレームタイミング仮説の各々に対する各受信アンテナの入力サンプルを相関させ、前記受信アンテナについての複数のフレームタイミング仮説に対する複数の相関結果を獲得することと、
各フレームタイミング仮説に対する前記複数の受信アンテナについての相関結果を結合して、前記フレームタイミング仮説に対する、結合相関結果を獲得することと、
複数のフレームタイミング仮説に対する複数の結合相関結果に基づいて探索結果を決定することと、
を備える、付記８に記載の方法。
付記１１
前記選択されたＲ×Ｄ探索モードに従ってコード検出ステップを実行することは、
各受信アンテナの入力サンプルを、複数の可能性のあるスクランブリングコードの各々と相関させ、前記受信アンテナの前記複数の可能性のあるスクランブリングコードに対する複数の相関結果を獲得することと、
各スクランブリングコードに対する前記複数の受信アンテナについての相関結果を結合して、前記スクランブリングコードに対する、結合相関結果を獲得することと、
複数のフレームタイミング仮説の各々に対して前記相関および前記結合を繰り返すこと、
前記複数のフレームタイミング仮説の各々の複数のスクランブリングコードに対する複数の結合相関結果に基づいて探索結果を決定することと、
を備える、付記８に記載の方法。
付記１２
前記探索は、検出されたセルの各受信アンテナについてのチャネルプロフィールを決定するためのチャネル推定ステップを備え、前記少なくとも１つの探索ステップを実行することは、前記選択されたＲ×Ｄ探索モードに従って前記チャネル推定ステップを実行することを備える、付記１に記載の方法。
付記１３
前記選択されたＲ×Ｄ探索モードに従ってチャネル推定ステップを実行することは、
複数の時間オフセットで、各受信アンテナの入力サンプルを、前記検出されたセルのスクランブリングコードと相関させ、前記受信アンテナについての、複数の時間オフセットに対する複数の相関結果を獲得することと、
各時間オフセットおよび各受信アンテナに対して異なる時間インターバルで獲得された相関結果を結合することと、
前記受信アンテナについての前記複数の時間オフセットに対する複数の結合相関結果に基づいて、各受信アンテナについての探索結果を決定することと、
を備える、付記１２に記載の方法。
付記１４
前記ＵＥによってサポートされる前記複数のＲ×Ｄ探索モードの中から第２の受信ダイバーシティ（Ｒ×Ｄ）探索モードを選択することと、
前記選択された第２のＲ×Ｄ探索モードに従って、少なくとも１つの別の探索ステップを実行することと、
をさらに備える、付記１に記載の方法。
付記１５
複数の受信アンテナを有するユーザ機器（ＵＥ）によってサポートされる複数の受信ダイバーシティ（Ｒ×Ｄ）探索モードの中から１つのＲ×Ｄ探索モードを選択するための手段と、なお、各Ｒ×Ｄ探索モードは、前記複数の受信アンテナについての相関、前記複数の受信アンテナについての相関結果の結合、前記複数の受信アンテナについての探索結果の報告のうちの少なくとも１つにおいて残りのＲ×Ｄ探索モードの各々とは異なり、
前記選択されたＲ×Ｄ探索モードに従って少なくとも１つの探索ステップを実行するための手段と、
を備える、無線通信のための装置。
付記１６
前記複数のＲ×Ｄ探索モードは、相関が各受信アンテナに対して別々に実行され、相関結果が、各受信アンテナに対して別々に結合され、且つ、探索結果が各受信アンテナに対して別々に報告されるＲ×Ｄ探索モードを含む、付記１５に記載の装置。
付記１７
前記複数のＲ×Ｄ探索モードは、相関が各受信アンテナに対して別々に実行され、前記複数の受信アンテナについての相関結果が結合され、且つ、全ての受信アンテナについての探索結果が一斉に報告されるＲ×Ｄ探索モードを含む、付記１５に記載の装置。
付記１８
前記複数のＲ×Ｄ探索モードは、各受信アンテナに適用される複素重みを有する全ての受信アンテナに対して相関が実行され、前記複数の受信アンテナについての相関結果が結合され、且つ、全ての受信アンテナについての探索結果が一斉に報告されるＲ×Ｄ探索モードを含む、付記１５に記載の装置。
付記１９
複数の受信アンテナを有するユーザ機器（ＵＥ）によってサポートされる複数の受信ダイバーシティ（Ｒ×Ｄ）探索モードの中から１つのＲ×Ｄ探索モードを選択し、なお、各Ｒ×Ｄ探索モードは、前記複数の受信アンテナについての相関、前記複数の受信アンテナについての相関結果の結合、前記複数の受信アンテナについての探索結果の報告のうちの少なくとも１つにおいて、残りのＲ×Ｄ探索モードの各々とは異なり、前記選択されたＲ×Ｄ探索モードに従って少なくとも１つの探索ステップを実行するように構成された少なくとも１つのプロセッサ
を備える無線通信のための装置。
付記２０
前記複数のＲ×Ｄ探索モードは、相関が各受信アンテナに対して別々に実行され、相関結果が、各受信アンテナに対して別々に結合され、探索結果が各受信アンテナに対して別々に報告されるＲ×Ｄ探索モードを含む、付記１９に記載の装置。
付記２１
前記複数のＲ×Ｄ探索モードは、相関が各受信アンテナに対して別々に実行され、前記複数の受信アンテナについての相関結果が結合され、全ての受信アンテナについての探索結果が一斉に報告されるＲ×Ｄ探索モードを含む、付記１９に記載の装置。
付記２２
前記複数のＲ×Ｄ探索モードは、各受信アンテナに適用される複素重みを有する全ての受信アンテナに対して相関が実行され、前記複数の受信アンテナについての相関結果が結合され、全ての受信アンテナについての探索結果が一斉に報告されるＲ×Ｄ探索モードを含む、付記１９に記載の装置。
付記２３
コンピュータによって実行されると、前記コンピュータに無線通信のための動作を実行させるコード備えるコンピュータ可読記憶媒体であって、
前記コンピュータに、複数の受信アンテナを有するユーザ機器（ＵＥ）によってサポートされる複数の受信ダイバーシティ（Ｒ×Ｄ）探索モードの中から１つのＲ×Ｄ探索モードを選択させるためのコードと、なお、各Ｒ×Ｄ探索モードは、前記複数の受信アンテナについての相関、前記複数の受信アンテナについての相関結果の結合、前記複数の受信アンテナについての探索結果の報告のうちの少なくとも１つにおいて残りのＲ×Ｄ探索モードの各々とは異なり、
前記コンピュータに、前記選択されたＲ×Ｄ探索モードに従って少なくとも１つの探索ステップを実行させるためのコードと、
を備える、コンピュータ可読記憶媒体。
付記２４
複数の受信アンテナを有するユーザ機器（ＵＥ）において第１の受信ダイバーシティ（Ｒ×Ｄ）探索モードに従って第１の探索ステップを実行することと、
前記ＵＥにおいて第２の受信ダイバーシティ（Ｒ×Ｄ）探索モードに従って第２の探索ステップを実行することと、を備え、
前記第２のＲ×Ｄ探索モードは、前記複数の受信アンテナについての相関、前記複数の受信アンテナについての相関結果の結合、および、前記複数の受信アンテナについての探索結果の報告のうちの少なくとも１つにおいて、前記第１のＲ×Ｄ探索モードとは異なる、
無線通信のための方法。
付記２５
前記第１のＲ×Ｄ探索モードについて、相関は各受信アンテナに対して別々に実行され、前記複数のアンテナについての相関結果は結合され、全ての受信アンテナについての探索結果は、一斉に報告される、付記２４に記載の方法。
付記２６
前記第２のＲ×Ｄ探索モードについて、相関は各受信アンテナに対して別々に実行され、相関結果は、各受信アンテナに対して別々に結合され、探索結果が各受信アンテナに対して別々に報告される、付記２４に記載の方法。
付記２７
前記第１の探索ステップを実行することは、少なくとも１つのセルを検出すること、および、各検出されたセルのスロットタイミングを決定することを備える、付記２４に記載の方法。
付記２８
前記第１の探索ステップを実行することは、検出されたセルによって使用されるスクランブリングコードを決定することを備える、付記２４に記載の方法。
付記２９
前記第２の探索ステップを実行することは、検出されたセルの各受信アンテナについてのチャネルプロフィールを決定することを備える、付記２４に記載の方法。
付記３０
複数の受信アンテナを有するユーザ機器（ＵＥ）において第１の受信ダイバーシティ（Ｒ×Ｄ）探索モードに従って第１の探索ステップを実行するための手段と、
前記ＵＥにおいて第２のＲ×Ｄ探索モードに従って第２の探索ステップを実行するための手段とを備え、
前記第２のＲ×Ｄ探索モードは、前記複数の受信アンテナについての相関、前記複数の受信アンテナについての相関結果の結合、および、前記複数の受信アンテナについての探索結果の報告のうちの少なくとも１つにおいて、前記第１のＲ×Ｄ探索モードとは異なる
無線通信のための装置。
付記３１
前記第１のＲ×Ｄ探索モードについて、相関は各受信アンテナに対して別々に実行され、複数のアンテナについての相関結果は結合され、全ての受信アンテナについての探索結果は一斉に報告される、付記３０に記載の装置。
付記３２
前記第２のＲ×Ｄ探索モードについて、相関は各受信アンテナに対して別々に実行され、相関結果が各受信アンテナに対して別々に結合され、探索結果が各受信アンテナに対して別々に報告される、付記３０に記載の方法。
付記３３
複数の受信アンテナを有するユーザ機器（ＵＥ）において第１の受信ダイバーシティ（Ｒ×Ｄ）探索モードに従って第１の探索ステップを実行し、前記ＵＥにおいて第２のＲ×Ｄ探索モードに従って第２の探索ステップを実行するように構成された少なくとも１つのプロセッサを備え、
前記第２のＲ×Ｄ探索モードは、前記複数の受信アンテナについての相関、前記複数の受信アンテナについての相関結果の結合、および、前記複数の受信アンテナについての探索結果の報告のうちの少なくとも１つにおいて、前記第１のＲ×Ｄ探索モードとは異なる、無線通信のための装置。
付記３４
コンピュータによって実行されると、前記コンピュータに、無線通信のための動作を実行させるコード備えるコンピュータ可読記憶媒体であって、
前記コンピュータに、複数の受信アンテナを有するユーザ機器（ＵＥ）において第１の受信ダイバーシティ（Ｒ×Ｄ）探索モードに従って第１の探索ステップを実行させるためのコードと、
前記コンピュータに、前記ＵＥにおける第２のＲ×Ｄ探索モードに従って第２の探索ステップを実行させるためのコードとを備え、
前記第２のＲ×Ｄ探索モードは、前記複数の受信アンテナについての相関、前記複数の受信アンテナについての相関結果の結合、および、前記複数の受信アンテナについての探索結果の報告のうちの少なくとも１つにおいて、前記第１のＲ×Ｄ探索モードとは異なる、
コンピュータ可読記憶媒体。
付記３５
干渉セルからの信号を減衰させるために、ユーザ機器（ＵＥ）における複数の受信アンテナに対して複数の複素重みを決定することと、
前記複数の受信アンテナに適用される前記複数の複素重みを用いて、少なくとも１つのセルを検出するために探索を実行して、前記干渉セルからの信号を減衰させることと、
を備える、無線通信のための方法。
付記３６
前記複数の受信アンテナに対して複数の複素重みを決定することは、
前記複数の受信アンテナの入力サンプルに基づいて相関行列を獲得することと、
前記相関行列を分解して、固有値からなる第１の行列と、固有ベクトルからなる第２の行列を獲得することと、
前記第１の行列の最小固有値と関連付けられた第２の行列の固有ベクトルを識別することと、
前記識別された固有ベクトルのエレメントの複素共役を、前記複数の受信アンテナに対する前記複数の複素重みとして使用することと
を備える、付記３５に記載の方法。
付記３７
前記探索を実行することは、
各受信アンテナの入力サンプルを、検出されたセルのスクランブリングコードと相関させ、前記受信アンテナについての相関結果を獲得することと、
各受信アンテナについての前記相関結果を、前記受信アンテナの複素重みと掛け合わせることと、
前記複数の受信アンテナについての重み付けされた相関結果を結合して、結合相関結果を獲得することと
を備える、付記３５に記載の方法。
付記３８
前記少なくとも１つのセルについての少なくとも１つの時間測定を、前記探索に基づいて獲得することと、
前記ＵＥについての位置推定を、前記少なくとも１つのセルについての前記少なくとも１つの時間測定に基づいて獲得することと、
をさらに備える、付記３５に記載の方法。
付記３９
干渉セルからの信号を減衰させるために、ユーザ機器（ＵＥ）における複数の受信アンテナに対して複数の複素重みを決定するための手段と、
前記複数の受信アンテナに適用される前記複数の複素重みを用いて、少なくとも１つのセルを検出するために探索を実行して、前記干渉セルからの信号を減衰させるための手段と、
を備える、無線通信のための装置。
付記４０
前記複数の受信アンテナに対して前記複数の複素重みを決定するための手段は、
前記複数の受信アンテナの入力サンプルに基づいて相関行列を獲得するための手段と、
前記相関行列を分解して、固有値からなる第１の行列と、固有ベクトルからなる第２の行列とを獲得するための手段と、
前記第１の行列の最小固有値と関連付けられた前記第２の行列の固有ベクトルを識別するための手段と、
前記識別された固有ベクトルのエレメントの複素共役を、前記複数の受信アンテナに対する前記複数の複素重みとして使用するための手段と
を備える、付記３９に記載の装置。
付記４１
前記探索を実行するための手段は、
各受信アンテナの入力サンプルを、検出されたセルのスクランブリングコードと相関させ、前記受信アンテナについての相関結果を獲得するための手段と、
各受信アンテナについての前記相関結果を、前記受信アンテナについての複素重みと掛け合わせるための手段と、
前記複数の受信アンテナについての重み付けされた相関結果を結合して、結合相関結果を獲得するための手段と
を備える、付記３９に記載の装置。
付記４２
干渉セルからの信号を減衰させるために、ユーザ機器（ＵＥ）における複数の受信アンテナに対して複数の複素重みを決定し、前記複数の受信アンテナに適用される前記複数の複素重みを用いて、少なくとも１つのセルを検出するために探索を実行して、前記干渉セルからの信号を減衰させるように構成された少なくとも１つのプロセッサを備える、無線通信のための装置。
付記４３
コンピュータによって実行されると、前記コンピュータに、無線通信のための動作を実行させるコード備えるコンピュータ可読記憶媒体であって、
前記コンピュータに、干渉セルからの信号を減衰させるために、ユーザ機器（ＵＥ）における複数の受信アンテナに対して複数の複素重みを決定させるためのコードと、
前記コンピュータに、前記複数の受信アンテナに適用される前記複数の複素重みを用いて、少なくとも１つのセルを検出するために探索を実行させ、前記干渉セルからの信号を減衰させるためのコードと、
を備える、無線通信のためのコンピュータ可読記憶媒体。
【図１】
0005442856.tif 000021
【図２Ａ】
0005442856.tif 000022
【図２Ｂ】
0005442856.tif 000023
【図３】
0005442856.tif 000024
【図４】
0005442856.tif 000025
【図５】
0005442856.tif 000026
【図６】
0005442856.tif 000027
【図７】
0005442856.tif 000028
【図８】
0005442856.tif 000029
【図９】
0005442856.tif 000030